(57)【特許請求の範囲】
【請求項１】
吸込口を有する吸込口部と、電気掃除機本体に連結されたホースや延長管に接続される接続管と、この接続管を前記吸込口部に連通させると共に接続管が吸込口の背面側に回る方向と吸込口側に回る方向に回動可能に連結する連結部とを備え、
前記接続管が前記吸込口の背面側に回動されたときは吸込口側に空気導入口が形成され、前記接続管が前記吸込口側に回動されたときは吸込口の背面側に空気導入口が形成されるように構成したことを特徴とする掃除機用アタッチメント。 
【請求項２】
前記吸込口の開口縁にブラシが植毛されて成ることを特徴とする請求項１記載の掃除機用アタッチメント。 
【請求項３】
前記吸込口部は、前記連結部の回動軸を支点として前記接続管側にも力点が形成されて成ることを特徴とする請求項１又は請求項２記載の掃除機用アタッチメント。 
【請求項４】
前記接続管を略への字形状に形成したことを特徴とする請求項１ないし請求項３のいずれかに記載の掃除機用アタッチメント。 
【請求項５】
前記吸込口を前記接続管が回動する側を開放した略コの字形状に形成すると共に、その開放部の上面側と接続管側に接続管の回動範囲を規制するストッパー部を形成したことを特徴とする請求項１ないし請求項４のいずれかに記載の掃除機用アタッチメント。 
【請求項６】
前記連結部の回動軸が開口縁にブラシを植毛した吸込口の片側に偏らせて形成されると共に、前記ブラシの長さを前記回動軸が形成された側とは反対側が漸次長くなるように構成したことを特徴とする請求項１ないし請求項５のいずれかに記載の掃除機用アタッチメント。 
【請求項７】
前記連結部の回動軸が開口縁にブラシを植毛した吸込口の片側に偏らせて形成されると共に、前記ブラシの密度を前記回動軸が形成された側が高くなり、反対側が低くなるように構成したことを特徴とする請求項１ないし請求項５のいずれかに記載の掃除機用アタッチメント。 
【請求項８】
前記連結部の回動軸が開口縁にブラシを植毛した吸込口の片側に偏らせて形成されると共に、前記ブラシのこしの強さを前記回動軸が形成された側が強くなり、反対側が弱くなるように構成したことを特徴とする請求項１ないし請求項５のいずれかに記載の掃除機用アタッチメント。 
【請求項９】
前記連結部の回動軸が開口縁にブラシを植毛した吸込口の片側に偏らせて形成されると共に、前記回動軸が形成された側の吸込口開口縁にはブラシを植毛せずにブラシの長さに相当する開口縁を形成したことを特徴とする請求項１ないし請求項５のいずれかに記載の掃除機用アタッチメント。 
【請求項１０】
前記ブラシの長さに相当する開口縁の底面には、傷付き防止処理を施したことを特徴とする請求項９記載の掃除機用アタッチメント。 
【請求項１１】
前記ブラシの長さに相当する開口縁とブラシが植毛された開口縁とを傾斜面で連続させたことを特徴とする請求項９又は請求項１０記載の掃除機用アタッチメント。 
【請求項１２】
前記連結部の回動軸が開口縁にブラシを植毛した吸込口の片側に偏らせて形成されると共に、前記吸込口部を前記回動軸の偏りによる掃除時の回動方向とは反対方向に付勢する付勢手段を備えたことを特徴とする請求項１ないし請求項５のいずれかに記載の掃除機用アタッチメント。 
【請求項１３】
前記吸込口部を前記接続管の延長方向に固定する係合部を備えたことを特徴とする請求項１ないし請求項１２のいずれかに記載の掃除機用アタッチメント。 
【発明の詳細な説明】
【技術分野】
【０００１】
本願発明は、吸込口を有して電気掃除機本体に連結されたホースや延長管に接続して使用される掃除機用アタッチメントに係わり、特にエアコンや家具等の高い位置の上面部分を掃除するのに好適な技術に関するものである。
【背景技術】
【０００２】
従来より、部屋の床面のコーナー部分や家具の隙間や窓の桟などを掃除するための掃除機用アタッチメントが一般に良く知られており、床用吸込具のようにホースや延長管に接続する接続管が吸込口の背面側に回る方向に回動可能に構成されたものもある。
【０００３】
また、特許文献１や特許文献２には、吸込口の開口縁にブラシが植毛された吸込口部が逆への字形状に曲がった接続管に軸回りに回動可能に連結されたものが開示されており、ホースや延長管に接続された接続管の脱着と吸込口部を接続管の軸回りに回動することにより、床面等の低い位置の掃除と共に、高い位置の上面側を掃除することができるようになっている。
【特許文献１】実開昭５６−１５５３号公報
【特許文献２】実開昭５５−１１９０５０号公報
【発明の開示】
【発明が解決しようとする課題】
【０００４】
しかしながら、接続管が吸込口の背面側に回る方向に回動可能に構成されたものでは、エアコンや家具等の高い位置の上面部分を掃除しようとしても吸込口が高い位置の上面部分に接するようには回動しないので、高い位置の上面部分を掃除できない課題があった。
【０００５】
また、上記特許文献１や特許文献２に開示されたものでは、ホースや延長管に接続された接続管の脱着と吸込口部を接続管の軸回りに回動することにより、高い位置の上面部分の掃除も可能であるが、接続管の脱着などの手間がかかるという課題があった。
【０００６】
そこで、本願発明はこのような課題を解決するためになされたものであり、高い場所の上面部分の掃除を接続管の脱着などの手間無しに行うことが可能な掃除機用アタッチメントを提供することを目的とするものである。
【課題を解決するための手段】
【０００７】
上記のような目的を達成するために、吸込口を有する吸込口部と、電気掃除機本体に連結されたホースや延長管に接続される接続管と、この接続管を前記吸込口部に連通させると共に接続管が吸込口の背面側に回る方向と吸込口側に回る方向に回動可能に連結する連結部とを備え、前記接続管が前記吸込口の背面側に回動されたときは吸込口側に空気導入口が形成され、前記接続管が前記吸込口側に回動されたときは吸込口の背面側に空気導入口が形成されるように構成したことを特徴とするものである。 
【０００８】
さらに、前記吸込口の開口縁にブラシが植毛されて成ることを特徴とするものである。
【０００９】
また、前記吸込口部は、前記連結部の回動軸を支点として前記接続管側にも力点が形成されて成ることを特徴とする。
【００１１】
また、前記接続管を略への字形状に形成したことを特徴とするものである。
【００１２】
また、前記吸込口を前記接続管が回動する側を開放した略コの字形状に形成すると共に、その開放部の上面側と接続管側に接続管の回動範囲を規制するストッパー部を形成したことを特徴とするものである。
【００１４】
また、前記連結部の回動軸が開口縁にブラシを植毛した吸込口の片側に偏らせて形成されると共に、前記ブラシの長さを前記回動軸が形成された側とは反対側が漸次長くなるように構成したことを特徴とするものである。
【００１５】
一方、前記連結部の回動軸が開口縁にブラシを植毛した吸込口の片側に偏らせて形成されると共に、前記ブラシの密度を前記回動軸が形成された側が高くなり、反対側が低くなるように構成したことを特徴とするものである。
【００１６】
また、前記連結部の回動軸が開口縁にブラシを植毛した吸込口の片側に偏らせて形成されると共に、前記ブラシのこしの強さを前記回動軸が形成された側が強くなり、反対側が弱くなるように構成したことを特徴とするものである。
【００１７】
また、前記連結部の回動軸が開口縁にブラシを植毛した吸込口の片側に偏らせて形成されると共に、前記回動軸が形成された側の吸込口開口縁にはブラシを植毛せずにブラシの長さに相当する開口縁を形成したことを特徴とするものである。
【００１８】
さらに、前記ブラシの長さに相当する開口縁の底面には、傷付き防止処理を施したことを特徴とするものである。
【００１９】
また、前記ブラシの長さに相当する開口縁とブラシが植毛された開口縁とを傾斜面で連続させたことを特徴とするものである。
【００２０】
一方、前記連結部の回動軸が開口縁にブラシを植毛した吸込口の片側に偏らせて形成されると共に、前記吸込口部を前記回動軸の偏りによる掃除時の回動方向とは反対方向に付勢する付勢手段を備えたことを特徴とするものである。
【００２１】
また、前記吸込口部を前記接続管の延長方向に固定する係合部を備えたことを特徴とするものである。
【発明の効果】
【００２２】
本願発明によれば、接続管が吸込口の背面側に回る方向と吸込口側に回る方向に回動可能に構成されているので、エアコンや家具等の高い場所の上面掃除でも接続管の脱着などの手間無しに行うことが可能となる。 
また、接続管が吸込口の背面側に回動されたときは吸込口側に空気導入口が形成され、接続管が吸込口側に回動されたときは吸込口の背面側に空気導入口が形成されるように構成することにより、常に使用者とは逆側に空気導入口が位置するので、風切り音が気になるのを軽減することができる。また、このような空気導入口は掃除機本体側の電動送風機の負荷軽減のために設けられるが、接続管が回動される側の空気導入口が塞がれても他方の空気導入口が機能するので、どのような状態でも掃除機本体の電動送風機に大きな負荷がかかるのを防ぐことができる。 
【００２３】
さらに、吸込口の開口縁にはブラシが植毛されて成るものであるから、床面等の低い場所は勿論、エアコンや家具等の高い場所の上面部分に付着した見え難く吸い込み難い埃なども効率良く拭き取って吸い込むことができる。
【００２４】
また、吸込口部は、連結部の回動軸を支点として接続管側にも力点が形成されて成るものであるから、エアコンや家具等の高い場所の垂直面の掃除から上面の掃除への移行時に、垂直面と上面との角部に吸込口部の接続管側の力点が接した際に支点と力点の関係から吸込口部が自動的に上面に沿う角度に回動するので、上面の掃除への移行が自動的に行える。
【００２６】
また、接続管を略への字形状に形成することにより、エアコンや家具等の高い場所の上面を掃除する際に、垂直面と上面との角部に接続管が当たるのを防ぐことができるので、吸込口部を上面のより奥まで当てることができる。また、吸込口が接続管に当接するまで回動させて、コンパクトな折り畳み収納が可能となる。
【００２７】
また、吸込口を接続管が回動する側を開放した略コの字形状に形成すると共に、接続管が吸込口側に回る方向（吸込口が接続管側に回る方向）への回動がフリーとなるのを規制しようとする場合、一般的には吸込口の流路側にストッパー部を構成することが考えられるが、このように構成するとゴミ詰まりや異音等の問題が生じる。そこで、吸込口を接続管が回動する側を開放した略コの字形状に形成すると共に、その開放部の上面側と接続管側に接続管の回動範囲を規制するストッパー部を形成することにより、流路側にストッパー部を設けることによる上記のような問題が生じることなく、接続管が吸込口側に回る方向（吸込口が接続管側に回る方向）への回動がフリーとなるのを規制することができる。
【００２９】
また、連結部の回動軸が開口縁にブラシを植毛した吸込口の片側に偏らせて形成されると共に、ブラシの長さを回動軸が形成された側とは反対側が漸次長くなるように構成することにより、吸込口部を被掃除面に押さえ付けようとする時に回動軸が形成された側が沈み込み、反対側が浮いてしまうのを防ぐことができる。
【００３０】
一方、連結部の回動軸が開口縁にブラシを植毛した吸込口の片側に偏らせて形成されると共に、ブラシの密度を回動軸が形成された側が高くなり、反対側が低くなるように構成することによっても、吸込口部を被掃除面に押さえ付けようとする時に回動軸が形成された側が沈み込み、反対側が浮いてしまうのを防ぐことができる。
【００３１】
また、連結部の回動軸が開口縁にブラシを植毛した吸込口の片側に偏らせて形成されると共に、ブラシのこしの強さを回動軸が形成された側が強くなり、反対側が弱くなるように構成することによっても、吸込口部を被掃除面に押さえ付けようとする時に回動軸が形成された側が沈み込み、反対側が浮いてしまうのを防ぐことができる。
【００３２】
また、連結部の回動軸が開口縁にブラシを植毛した吸込口の片側に偏らせて形成されると共に、回動軸が形成された側の吸込口開口縁にはブラシを植毛せずにブラシの長さに相当する開口縁を形成することによっても、吸込口部を被掃除面に押さえ付けようとする時に回動軸が形成された側が沈み込み、反対側が浮いてしまうのを防ぐことができる。
【００３３】
さらに、ブラシの長さに相当する開口縁の底面には、傷付き防止処理を施することにより、ブラシの長さに相当する開口縁の底面が被掃除面に接触することによって被掃除面が傷付くのを防ぐことができる。
【００３４】
また、ブラシの長さに相当する開口縁とブラシが植毛された開口縁とを傾斜面で連続させることにより、エアコンや家具等の高い場所の垂直面の掃除から上面の掃除への移行時に、垂直面と上面との角部にブラシの長さに相当する開口縁が引っかかるのを防ぐことができ、垂直面の掃除から上面の掃除への移行が滑らかになる。
【００３５】
一方、連結部の回動軸が開口縁にブラシを植毛した吸込口の片側に偏らせて形成されると共に、吸込口部を回動軸の偏りによる掃除時の回動方向とは反対方向に付勢する付勢手段を備えることによっても、吸込口部を被掃除面に押さえ付けようとする時に回動軸が形成された側が沈み込み、反対側が浮いてしまうのを防ぐことができる。
【００３６】
また、吸込口部を接続管の延長方向に固定する係合部を備えることにより、この掃除機用アタッチメントを延長管等に形成されたホルダーに装着して延長管等に沿わせて収納する場合に衝撃等で吸込口部が回動してしまうのを防ぐことができる。
【発明を実施するための最良の形態】
【００３７】
以下、本願発明の実施形態を図面を参照して詳細に説明する。
【００３８】
図１は、本願発明による掃除機用アタッチメントの一実施形態の構成を示す図で、（ａ）は側面図、（ｂ）は側断面図、（ｃ）は底面図、（ｄ）は上面図、（ｅ）は上面側から見た要部断面図である。
【００３９】
本実施形態の掃除機用アタッチメント１は、開口縁にブラシ２が植毛された吸込口３ａを有する細長の吸込口部３と、図示しない電気掃除機本体に連結されたホースや延長管に接続される接続管４と、この接続管４を吸込口部３に連通させると共に接続管４が図２に示すように吸込口３ａの背面側に回る方向と図３に示すように吸込口３ａ側に回る方向に回動可能に連結する連結部５とを備えている。
【００４０】
上記接続管４は、電気掃除機本体に連結されたホースや延長管に接続される大径部４ａと、吸込口部３が連結部５を介して連結された小径部４ｂとが一体に成形されている。
【００４１】
吸込口部３の底面側に開口する吸込口３ａは、上記接続管４の小径部４ｂが回動する側を開放した略コの字形状に形成されており、この略コの字形状の開口縁３ｂに多数のブラシ２が等間隔に植毛されている。
【００４２】
連結部５は吸込口部３の後部側に位置して設けられ、図１（ｅ）に示すように接続管４の小径部４ｂの先端部両側に突設された回動軸５ａが吸込口部３側に形成された軸受５ｂに嵌合して回動可能に構成されている。
【００４３】
また、吸込口部３は、吸込口３ａの開口縁３ｂにおける略コの字形状の開放端が上記連結部５の後方まで伸ばされ、図１（ａ）に示すように連結部５の回動軸５ａを支点として接続管４側にも力点が形成されるように構成されている。
【００４４】
さらに、図２（ｂ）に示すように、接続管４が吸込口３ａの背面側に回動されたときは吸込口３ａの後部側に空気導入口（漏らし孔とも言う）６ａが形成され、図３（ｂ）に示すように、接続管４が吸込口３ａ側に回動されたときは吸込口３ａの背面側に位置する連結部５上面側に空気導入口６ｂが形成されるように構成されている。
【００４５】
以上の構成において、この掃除機用アタッチメント１を使用して、床面のコーナー部分や、エアコンや家具等の垂直面や上面を掃除する際には、当該アタッチメント１の接続管４の大径部４ａを掃除機本体に連結されたホースや延長管に接続する。そして、掃除機本体に内蔵された電動送風機を運転させると、被掃除面の塵埃は吸込口部３の吸込口３ａから吸い込まれ、被掃除面に付着した埃等も吸込口３ａの開口縁３ｂに植毛されたブラシ２により拭き取られて吸込口３ａから吸い込まれ、連結部５から接続管４を通り、延長管，ホース等を介して掃除機本体に吸引される。
【００４６】
本実施形態の掃除機用アタッチメント１は、接続管４が図２に示すように吸込口３ａの背面側に回る方向と図３に示すように吸込口３ａ側に回る方向に回動可能に構成されているので、図２の状態での床面等の低い場所の掃除は勿論、図３の状態にも回動してエアコンや家具等の高い場所の上面掃除でも、延長管などからの接続管４の脱着などの手間無しに行うことが可能となる。
【００４７】
さらに、吸込口３ａの開口縁３ｂにはブラシ２が植毛されて成るものであるから、床面等の低い場所は勿論、エアコンや家具等の高い場所の上面に付着した見え難く吸い込み難い埃なども効率良く拭き取って吸い込むことができる。
【００４８】
また、接続管４が吸込口３ａ側に回る方向に回動可能に構成しただけでは、エアコンや家具等の高い位置の上面部分を掃除する際、吸込口部３の角度を手で調整しなければならない。これに対して、本実施形態の掃除機等アタッチメント１の吸込口部３は、連結部５の回動軸５ａを支点として接続管４側にも力点が形成されて成るものであるから、図４（ａ）〜（ｄ）に示すように、当該アタッチメント１を延長管７に接続して家具Ｆ等の高い場所の垂直面Ｆ１の掃除から上面Ｆ２の掃除への移行時に、家具Ｆ等の垂直面Ｆ１と上面Ｆ２との角部Ｆ３に吸込口部３の接続管４側の力点が接した際に支点と力点の関係から吸込口部３の吸込口３ａが自動的に上面Ｆ２に沿う角度に回動するので、上面Ｆ２の掃除への移行が自動的に行える。
【００４９】
また、この種のアタッチメントを用いる場合は、吸込口が絞られていて掃除機本体に内蔵された電動送風機の負荷が増大するので、吸込口とは別に空気導入口（漏らし孔）を形成して電動送風機の負荷低減を図るようにしている。しかしながら、この空気導入口が固定されたものでは、上述したように広範囲に回動する吸込口部３の角度によっては使用者側に空気導入口が位置して、風切り音が気になる。
【００５０】
この対策として、本実施形態のアタッチメント１においては、図５（ａ）に示すように床面掃除等で接続管４が吸込口３ａの背面側に回動されたときは吸込口３ａの後部側に空気導入口６ａが形成され、図５（ｂ）に示すように高い場所の上面掃除で接続管４が吸込口３ａ側に回動されたときは吸込口３ａの背面側にある連結部５上面側に空気導入口６ｂが形成されるように構成されているので、常に使用者とは逆側に空気導入口６ａ又は６ｂが位置するので、風切り音が気になるのを軽減することができる。また、接続管４が回動される側の空気導入口６ａ又は６ｂが塞がれても他方の空気導入口６ｂ又は６ａが機能するので、どのような状態でも掃除機本体の電動送風機に大きな負荷がかかるのを防ぐことができる。
【００５１】
図６は、本願発明による掃除機用アタッチメントの他の実施形態を示す側面図であり、前記実施形態と同一符号は同一又は相当部分を示している。
【００５２】
前述したように、接続管４が、電気掃除機本体に連結されたホースや延長管に接続される大径部４ａと、吸込口部３が連結部５を介して連結された小径部４ｂとから成る場合、前記実施形態のように大径部４ａの中央部から小径部４ｂを突設させると、図７（ａ）に示すように、家具Ｆ等の高い場所の上面Ｆ２部分を掃除する際、角度によっては接続管４の大径部４ａや延長管７が先に垂直面Ｆ１に接触し、上面Ｆ２部分の掃除が不十分になってしまう。
【００５３】
この対策として、本実施形態においては、図６に示すように、接続管４は、前記実施形態と同様に大径部４ａと小径部４ｂとから成るが、大径部４ａに小径部４ｂを吸込口部３の吸込口３ａ側に偏心させて形成したものである。ここでは、図６における小径部４ｂの底辺が大径部４ａの底辺に一致するまで偏心させている。
【００５４】
このように構成することにより、エアコンや家具等の高い場所の上面を掃除する際に、図７（ｂ）に示すように、接続管４の大径部４ａや延長管７が垂直面Ｆ１に当たりにくくなるので、図７（ａ）に示したように接続管４の大径部４ａや延長管７が先に垂直面Ｆ１に当たって上面Ｆ２側の掃除が不十分となる問題を軽減できる。
【００５５】
図８は、本願発明による掃除機用アタッチメントの更に他の実施形態を示す側面図であり、前述してきた実施形態と同一符号は同一又は相当部分を示している。
【００５６】
本実施形態では、上記図７に示した実施形態の接続管４における小径部４ｂを略への字形状に形成したものである。
【００５７】
このように構成することにより、エアコンや家具等の高い場所の上面を掃除する際に、図９に示すように、家具Ｆ等の垂直面Ｆ１と上面Ｆ２との角部Ｆ３に接続管４の小径部４ｂが当たるのを防ぐことができるので、吸込口部３を上面Ｆ２のより奥まで当てることができる。本実施形態では、前記実施形態と同様に小径部４ｂを大径部４ａに偏心させて形成しているので、更に効果的である。また、図１０に示すように吸込口部３をその吸込口３ａが接続管４に当接するまで回動させて、コンパクトな折り畳み収納が可能となる。
【００５８】
図１１は、本願発明による掃除機用アタッチメントの更に他の実施形態の構成及び作用を示す側面図、図１２は上面図であり、前述してきた実施形態と同一符号は同一又は相当部分を示している。
【００５９】
前述してきたように吸込口３ａを接続管４が回動する側を開放した略コの字形状に形成すると、接続管４が吸込口３ａ側に回る方向（吸込口３ａが接続管４側に回る方向）への回動がフリーとなって掃除の際などの使い勝手が悪くなる。これを規制しようする場合、一般的には吸込口の流路側にストッパー部を構成することが考えられるが、このように構成するとゴミ詰まりや異音等の問題が生じる。
【００６０】
この対策として、本実施形態においては、略コの字形状の吸込口３ａの開放部の上面側と接続管４側に接続管４の回動範囲を規制するストッパー部８を形成したものである。具体的には、吸込口３ａの後部側に形成された開放部の上面側に半円形状の凹部８ａを形成し、これに対応して接続管４の小径部４ｂの上面側に上記凹部８ａに嵌合する円柱状の凸部８ｂを形成したものである。
【００６１】
このように構成することにより、流路側にストッパー部を設けることによる上記のような問題が生じることなく、図１１（ｂ）に示すように接続管４が吸込口３ａ側に回る方向（吸込口３ａが接続管４側に回る方向）への回動がフリーとなるのを規制することができ、掃除の際などの使い勝手が向上する。
【００６２】
図１３は、本願発明による掃除機用アタッチメントの更に他の実施形態を示す側面図であり、前述してきた実施形態と同一符号は同一又は相当部分を示している。
【００６３】
前述してきたように、連結部５の回動軸５ａが開口縁３ｂにブラシ２を植毛した吸込口３ａの後側に偏らせて形成されたものでは、図１４（ａ）に示すように、家具Ｆの上面Ｆ２部分などを掃除する際に吸込口部３を被掃除面（上面Ｆ２）に押さえ付けようとすると、回動軸５ａが形成された後側が沈み込み、前側が浮いてしまって吸込性能が低下してしまう。
【００６４】
この対策として、本実施形態においては、図１３に示すように、ブラシ２の長さを回動軸５ａが形成された後側から前側に向かって漸次長くなるような勾配を有する構成としたものである。
【００６５】
このように構成することにより、図１４（ｂ）に示すように、吸込口部３を被掃除面（上面Ｆ２）に押さえ付けようとする時に前側が浮いてしまうのを防ぐことができる。
【００６６】
図１５は、上述した回動軸の偏りによる課題を解決するための他の実施形態を示す側面図であり、前記実施形態と同一符号は同一又は相当部分を示している。
【００６７】
本実施形態では、ブラシ２の密度を回動軸５ａが形成された後側，具体的には回動軸５ａの下側及びその後側が高くなり、回動軸５ａよりも前側が低くなるように構成したものである。
【００６８】
以上のように構成することによっても、吸込口部３を被掃除面に押さえ付けようとする時に回動軸５ａが形成された後側が沈み込み、前側が浮いてしまうのを防ぐことができる。
【００６９】
また、上記図１５において、ブラシ２のこしの強さが回動軸５ａの下側及びその後側が強くなり、回動軸５ａよりも前側が弱くなるように構成することによっても、前記と同様に吸込口部３を被掃除面に押さえ付けようとする時に回動軸５ａが形成された後側が沈み込み、前側が浮いてしまうのを防ぐことができる。
【００７０】
図１６は、回動軸５ａの偏りによる課題を解決するための更に他の実施形態を示す側面図であり、前記実施形態と同一符号は同一又は相当部分を示している。
【００７１】
本実施形態では、回動軸５ａが形成された後側の吸込口開口縁にはブラシ２を植毛せずに、開口縁３ｂの当該部分の樹脂部を厚く形成することによりブラシ２の長さに相当する開口縁３ｃを形成したものである。
【００７２】
さらに、ブラシ２の長さに相当する後側の開口縁３ｃの底面には傷付き防止処理を施している。具体的には、エチケットブラシや短い植毛あるいは塩ビインサート等による傷付き防止処理部３ｄを形成している。
【００７３】
また、ブラシ２の長さに相当する後側の開口縁３ｃとブラシ２が植毛された開口縁３ｂとは緩やかに湾曲した傾斜面３ｅで連続させている。
【００７４】
以上のように構成することによっても、吸込口部３を被掃除面に押さえ付けようとする時に後側の開口縁３ｃが被掃除面に当接するので、回動軸５ａが形成された後側が沈み込み、前側が浮いてしまうのを防ぐことができる。
【００７５】
さらに、ブラシ２の長さに相当する後側の開口縁３ｃの底面には傷付き防止処理部３ｄが形成されているので、後側の開口縁３ｃが被掃除面に接触することによって被掃除面が傷付くのを防ぐことができる。
【００７６】
また、ブラシ２の長さに相当する後側の開口縁３ｃとブラシ２が植毛された開口縁３ｂとを傾斜面３ｅで連続させることにより、エアコンや家具等の高い場所の垂直面の掃除から上面の掃除への移行時に垂直面と上面との角部に、ブラシ２の長さに相当する後側の開口縁３ｃが引っかかるのを防ぐことができ、垂直面の掃除から上面の掃除への移行が滑らかになる。
【００７７】
図１７は、回動軸５ａの偏りによる課題を解決するための更に他の実施形態を示す側面図と上面側から見た要部断面図であり、前記実施形態と同一符号は同一又は相当部分を示している。
【００７８】
本実施形態では、吸込口部３を回動軸５ａの偏りによる掃除時の回動方向（前側が浮く方向）とは反対方向に付勢する付勢手段として、一端が接続管４の小径部４ｂ側に固定されて回動軸５ａに巻かれると共に他端が吸込口部３側に固定されたコイルバネ９を備え、このバネ９により吸込口部３の前側を押さえ付けるようにしたものである。また、前記図１１，図１２に示した実施形態と同様な凹部８ａと凸部８ｂから成るストッパー部８が形成されている。
【００７９】
このように構成することによっても、吸込口部３を被掃除面に押さえ付けようとする時に回動軸５ａが形成された後側が沈み込み、前側が浮いてしまうのを防ぐことができる。
【００８０】
なお、上記のように構成することにより、図１８に示すような非掃除時の通常状態においても吸込口部３は前側が下向きに回動するが、本実施形態においてはストッパー部８が形成されているので、接続管４側までは回動せずに図１８に示す位置で回動を規制することができ、使い勝手が向上する。
【００８１】
図１９は、本願発明による掃除機用アタッチメントの更に他の実施形態を示す側断面図であり、前述してきた実施形態と同一符号は同一又は相当部分を示している。
【００８２】
本実施形態においては、吸込口部３を接続管４の延長方向に係脱可能に固定する係合部１０を備えたものである。具体的には、連結部５における接続管小径部４ｂ先端に外側に断面円弧状に突出する凸部１０ａを形成し、吸込口部３側には吸込口部３が図１９に示すようにストレートに伸びた状態で上記断面円弧状の凸部１０ａが弾性的に係合する凹部１０ｂを形成したものである。上記凸部１０ａと凹部１０ｂが係合するとクリック感が得られると共に、その状態に固定される。
【００８３】
以上のように構成することにより、この掃除機用アタッチメント１を図２０に示すように延長管７等に形成されたホルダー７ａに装着して延長管７等に沿わせて収納する場合に、図２０（ｂ）に示すように衝撃等で吸込口部３が回動してしまうのを防ぐことができ、図２０（ａ）に示すように吸込口部３の吸込口３ａ側を延長管７等に沿わせた状態で収納することができる。
【００８４】
なお、上述してきた実施形態においては、吸込口３ａの開口縁３ｂにブラシ２が植毛されたものに本願発明を適用した場合について説明したが、ブラシに係わらない発明に関してはブラシ２が植毛されていないものに適用しても同様な作用効果が得られる。
【図面の簡単な説明】
【００８５】
【図１】本願発明による掃除機用アタッチメントの一実施形態の構成を示す図で、（ａ）は側面図、（ｂ）は側断面図、（ｃ）は底面図、（ｄ）は上面図、（ｅ）は上面側から見た要部断面図。
【図２】上記実施形態の通常の作用を示す図で、（ａ）は側面図、（ｂ）は側断面図。
【図３】上記実施形態の本願発明に係る作用を示す図で、（ａ）は側面図、（ｂ）は側断面図。
【図４】上記実施形態の他の作用を示す図で、（ａ）〜（ｄ）は家具等の高い場所の垂直面の掃除から上面の掃除への移行時の吸込口部の状態の変化を示している。
【図５】上記実施形態の更に他の作用を示す図で、（ａ）は床面掃除時、（ｂ）は高い場所の上面掃除時を示している。
【図６】本願発明による掃除機用アタッチメントの他の実施形態を示す側面図。
【図７】上記図１〜図５に示した実施形態と上記図６に示した実施形態の作用を比較して示した図で、（ａ）は接続管の大径部の中央部から小径部を突設させた図１〜図５に示した実施形態の場合、（ｂ）は大径部に小径部を吸込口部の吸込口側に偏心させて形成した図６に示した実施形態の場合である。
【図８】本願発明による掃除機用アタッチメントの更に他の実施形態を示す側面図。
【図９】上記実施形態の作用を示す図で、（ａ）〜（ｄ）は家具等の高い場所の垂直面の掃除から上面の掃除への移行時の吸込口部と接続管の状態の変化を示している。
【図１０】上記実施形態のアタッチメントのコンパクト収納時を示す側面図。
【図１１】本願発明による掃除機用アタッチメントの更に他の実施形態の構成及び作用を示す側面図で、（ａ）は構成を示す側面図、（ｂ）は作用を示す側面図。
【図１２】上記実施形態の上面図。
【図１３】本願発明による掃除機用アタッチメントの更に他の実施形態を示す側面図。
【図１４】ブラシに勾配が無い場合と上記実施形態のような勾配が有る場合の作用を示す図で、（ａ）は勾配無しの場合、（ｂ）は勾配有りの場合を示している。
【図１５】回動軸の偏りによる課題を解決するための他の実施形態を示す側面図。
【図１６】回動軸の偏りによる課題を解決するための更に他の実施形態を示す側面図。
【図１７】回動軸の偏りによる課題を解決するための更に他の実施形態を示す図で、（ａ）は側面図、（ｂ）は上面側から見た要部断面図。
【図１８】上記実施形態の通常状態の作用を示す側面図。
【図１９】本願発明による掃除機用アタッチメントの更に他の実施形態を示す側断面図。
【図２０】上記実施形態と上記実施形態のような係合部が無い場合の作用を示す図で、（ａ）は上記実施形態の場合、（ｂ）は上記実施形態のような係合部が無い場合を示している。
【符号の説明】
【００８６】
１  掃除機用アタッチメント
２  ブラシ
３  吸込口部
３ａ  吸込口
３ｂ  開口縁
３ｃ  ブラシの長さに相当する後側の開口縁
３ｄ  傷付き防止処理部
３ｅ  傾斜面
４  接続管
４ａ  大径部
４ｂ  小径部
５  連結部
５ａ  回動軸
５ｂ  軸受
６ａ，６ｂ  空気導入口
７  延長管
７ａ  ホルダー
８  ストッパー部
８ａ  凹部
８ｂ  凸部
９  コイルバネ
１０  係合部
１０ａ  凸部
１０ｂ  凹部
Ｆ  家具
Ｆ１  垂直面
Ｆ２  上面
Ｆ３  角部 
【図１】
0004530940.tif 000002
【図２】
0004530940.tif 000003
【図３】
0004530940.tif 000004
【図４】
0004530940.tif 000005
【図５】
0004530940.tif 000006
【図６】
0004530940.tif 000007
【図７】
0004530940.tif 000008
【図８】
0004530940.tif 000009
【図９】
0004530940.tif 000010
【図１０】
0004530940.tif 000011
【図１１】
0004530940.tif 000012
【図１２】
0004530940.tif 000013
【図１３】
0004530940.tif 000014
【図１４】
0004530940.tif 000015
【図１５】
0004530940.tif 000016
【図１６】
0004530940.tif 000017
【図１７】
0004530940.tif 000018
【図１８】
0004530940.tif 000019
【図１９】
0004530940.tif 000020
【図２０】
0004530940.tif 000021